(57)【要約】
【課題】昇華染料によって染色された生地に用いても、昇華染料の再昇華が生じない熱転写シートを提供する。
【解決手段】基材上にホットメルト層および受理層が設けられてなり、基材剥離後にホットメルト層を生地表面に当接して加熱することにより、ホットメルト層および受理層を生地表面に付着させる熱転写シートであって、さらに、ホットメルト層と受理層とのあいだに昇華防止層が設けられている。昇華防止層は、ポリエステル系の多孔性樹脂からなる。あるいは、ポリエステル、ポリウレタンまたはポリエチレンのシートである。
【選択図】図１
0003099593.tif 000002
【実用新案登録請求の範囲】
【請求項１】
基材上にホットメルト層および受理層が設けられてなり、基材剥離後にホットメルト層を生地表面に当接して加熱することにより、ホットメルト層および受理層を生地表面に付着させる熱転写シートであって、
さらに、ホットメルト層と受理層とのあいだに昇華防止層が設けられている熱転写シート。
【請求項２】
前記昇華防止層が、ポリエステル系の多孔性樹脂からなる請求項１記載の熱転写シート。
【請求項３】
前記昇華防止層が、ビーズまたはアルミ粉を含む請求項２記載の熱転写シート。
【請求項４】
前記昇華防止層が、ポリエステル、ポリウレタンまたはポリエチレンのシートである請求項１記載の熱転写シート。
【請求項５】
昇華染料で染色された生地表面に、ホットメルト層、昇華防止層および受理層からなる熱転写シートが転写されてなるアパレル製品。
【請求項６】
前記昇華防止層が、ポリエステル系の多孔性樹脂からなる請求項５記載のアパレル製品。
【請求項７】
前記昇華防止層が、ビーズまたはアルミ粉を含む請求項６記載のアパレル製品。
【請求項８】
前記昇華防止層が、ポリエステル、ポリウレタンまたはポリエチレンのシートである請求項５記載のアパレル製品。
【請求項９】
前記昇華染料で染色された生地が、ポリエステル繊維からなる生地である請求項５記載のアパレル製品。
【考案の詳細な説明】
【技術分野】
【０００１】
　本考案は、衣類やタオル、かばんなどのアパレル製品に、加熱によって絵柄や模様を転写する熱転写シート、および熱転写シートによって絵柄や模様を転写したアパレル製品に関する。
【背景技術】
【０００２】
　洋服やタオル、かばんなどのアパレル製品に絵柄や模様を与えるために、熱転写シートが使用される。図３に示すとおり、従来の熱転写シート１は、基材２上にホットメルト層４および受理層８が形成されてなり、受理層８に絵柄や模様が印刷されている。基材２を剥離し、ホットメルト層４をアパレル製品の生地表面に押し当て、アイロンなどによって加熱を行なうと、ホットメルト層４が溶融して生地に付着、浸透する。このようにして、絵柄や模様を有する受理層８を、ホットメルト層４によって生地表面に固定することができる。
【０００３】
　このような熱転写シートは、スクリーン印刷やプリンタによる印刷など、さまざまな方法で受理層８へ絵柄や模様を印刷することができ、好みの絵柄や模様を比較的容易に得られること、および少ない手順で簡単に生地への転写を完了できることなどから幅広く利用されているが、転写相手の生地の種類によっては、問題を生じることもあった。
【０００４】
　たとえば、洋服やタオル、かばんなどアパレル製品の製造において、生地を染色し色や模様を付与するために、昇華染料が使用される。昇華染料は、ナフタリンやドライアイスのように、固体から気体へと直接状態変化する性質を有しており、熱を加えることにより昇華させて気体とし、生地の繊維に付着、吸収させることにより染色を行なうことができる。
【０００５】
　このような昇華染料で染色された生地上に、前記の熱転写シートを用いて絵柄や模様を転写する場合、生地の染料が熱転写の際の加熱によって再び昇華し、熱転写シートの受理層中に侵入する。受理層中に染料が侵入すると、その色が転写した絵柄や模様にあらわれる「再昇華」を引き起こし、絵柄や模様の見た目を損ねてしまう。この「再昇華」は、濃色の生地上に淡い色の絵柄や模様を転写する場合に、とくに問題となっていた。
【考案の開示】
【考案が解決しようとする課題】
【０００６】
　そこで本考案は、昇華染料によって染色された生地に用いても、昇華染料の再昇華が生じない熱転写シートを提供する。また、昇華染料で染色された生地に、再昇華なく絵柄や模様を転写したアパレル製品を提供する。
【課題を解決するための手段】
【０００７】
　前記課題を解決するため、本考案の熱転写シートは、基材上にホットメルト層および受理層が設けられてなり、基材剥離後にホットメルト層を生地表面に当接して加熱することにより、ホットメルト層および受理層を生地表面に付着させる熱転写シートであって、さらに、ホットメルト層と受理層とのあいだに昇華防止層が設けられていることを特徴とする。
【０００８】
　前記昇華防止層が、ポリエステル系の多孔性樹脂からなると好ましい。さらに、ビーズまたはアルミ粉を含んでいると好ましい。
【０００９】
　あるいは、前記昇華防止層が、ポリエステル、ポリウレタンまたはポリエチレンのシートであると好ましい。
【００１０】
　前記課題を解決するため、本考案のアパレル製品は、昇華染料で染色された生地表面に、ホットメルト層、昇華防止層および受理層からなる熱転写シートが転写されていることを特徴とする。
【００１１】
　前記昇華防止層が、ポリエステル系の多孔性樹脂からなると好ましい。さらに、ビーズまたはアルミ粉を含んでいると好ましい。
【００１２】
　あるいは、前記昇華防止層が、ポリエステル、ポリウレタンまたはポリエチレンのシートであると好ましい。
【００１３】
　また、前記昇華染料で染色された生地が、ポリエステル繊維からなる生地であると好ましい。
【考案の効果】
【００１４】
　本考案の熱転写シートによれば、昇華染料によって染色された生地に「再昇華」なく絵柄や模様を転写することが可能である。
【００１５】
　また、本考案によれば、昇華染料による染色と熱転写による絵柄や模様を組み合わせても「再昇華」が生じないため、多様かつ高品質なアパレル製品を得ることができる。
【考案を実施するための最良の形態】
【００１６】
　以下、本考案の実施の形態を添付の図面を参照して説明するが、本考案が以下の実施の形態に限られるわけではない。
【００１７】
実施の形態１
　図１に本考案の熱転写シートの一実施の形態を示す。
【００１８】
　図１の断面図に示すように、本実施の形態の熱転写シート１０は、基材１２上にホットメルト層１４、昇華防止層１６および受理層１８がこの順に設けられている。
【００１９】
　まず、スクリーン印刷などの手法で、受理層１８に必要な絵柄や模様を印刷する。また、インクジェットなどのプリンタを用いて受理層１８に絵柄や模様を印刷してもよい。その後、基材１２を剥離し、ホットメルト層１４を生地表面に押し当て、アイロンなどによって加熱すると、加熱によりホットメルト層１４が溶融し、生地の表面に付着、浸透する。ホットメルト層１４により、昇華防止層１６および受理層１８が生地上に固定される。このようにして、受理層１８に印刷した模様や絵柄を、生地表面に転写することができる。
【００２０】
　加熱によりホットメルト層１４を溶融させる際、生地中の昇華染料も熱せられ一部が再昇華するが、昇華防止層１６に妨げられ、受理層１８に侵入することがない。したがって、受理層１８に印刷された絵柄や模様が、昇華染料の再昇華によって損なわれるおそれはない。
【００２１】
　本実施の形態において、基材１２の材料としては、紙や合成紙、樹脂フィルムなどが好ましい。また、ホットメルト層１４からの剥離が容易にできるよう、表面に剥離層を設けておくとよい。
【００２２】
　ホットメルト層１４の材料としては、ポリエチレン、ポリウレタン、ポリエステル、ポリアミド、ポリオレフィン、ＥＶＡ（エチレン酢酸ビニル共重合体）などの熱可塑性樹脂が好ましい。
【００２３】
　昇華防止層１６の材料としては、たとえばポリエステル系の多孔性樹脂が用いられるが、この樹脂にガラスなどを細かく砕いたビーズを混入させてもよく、アルミ粉などの金属粉を混入させてもよい。ポリエステル系の多孔性樹脂には昇華染料がよく付着するため、昇華防止の効果が大であり好ましい。また、ビーズや金属粉を加えることにより、さらに昇華染料を付着させることができ、また昇華染料による色を隠蔽することができる。ポリエステル系の多孔性樹脂を使用する場合、昇華防止層１６の厚さは、２０〜４０μｍが好ましい。２０μｍよりも薄いと、昇華染料の付着が少なく昇華防止の効果が小さくなってしまう。また、４０μｍよりも厚いと、衣料などにつけるマークとしては厚すぎ、手触りや着心地、見た目を損ねてしまうことになる。
【００２４】
　また、ポリエステル、ポリウレタン、ポリエチレンなどの薄いシートを、昇華防止層１６として用いてもよい。これらのシートは、前記の多孔製樹脂あるいはビーズや金属粉を混入させた前記の多孔製樹脂にくらべ、再昇華した染料の色を完全に隠蔽できる点で好ましい。これらシートの厚さは、１０〜２０μｍが好ましい。１０μｍよりも薄いと製造が難しく、また受理層への印刷や衣類への熱転写も難しくなる。また、２０μｍよりも厚いと、しなやかさや厚みの点で好ましくなく、アパレル製品に転写した場合、手触りや着心地、見た目を損ねてしまうことになる。
【００２５】
　受理層１８の材料としては、アクリル系、ウレタン系またはエステル系の樹脂が使用可能である。これらの樹脂に、隠蔽用の顔料としてたとえば酸化チタンなどの白色顔料を添加してもよい。また、受理層１８にインクジェットプリンタなど水性のインクで絵柄や模様を印刷する場合、受理層１８の材料として、水性ウレタン、水性アクリルなどの水系カチオンポリマーだけでなく、油溶系ポリマーであってもよい。
【００２６】
実施の形態２
　図２に本考案のアパレル製品の一実施の形態を示す。
【００２７】
　図２の断面図に示すように、本実施の形態のアパレル製品２０は、昇華染料で染色された生地２２上に、前記実施の形態１の熱転写シートが転写されてなる。すなわち、昇華染料で染色された生地２２上に、ホットメルト層１４、昇華防止層１６および受理層１８からなる熱転写シートが転写されてなる。
【００２８】
　アパレル製品２０としては、スポーツ用ウェア、ベビー用ウェア、肌着などの洋服、タオル、ハンカチ、ネクタイなどの身装小物、バッグやかばん、寝具、あるいは原反などがあげられるが、これらに限られるものではない。
【００２９】
　また、生地２２の材料にとくに制約はないが、昇華染料による染色時および熱転写シートの転写時に加熱されることから、ポリエステルや耐熱性ナイロンなどといった耐熱性に優れた材料が好ましい。なかでも、生地２２としてポリエステル繊維からなる生地を用いた場合、昇華染料で染色された柄やデザインが熱を加えることによって再昇華しやすいため、本考案の効果がよく発揮され好ましい。
【００３０】
　本実施の形態によれば、昇華染料による染色と熱転写シートによる色柄や模様の転写とを組み合わせ、かつ「再昇華」が生じることがないため、多様かつ高品質なアパレル製品を得ることができる。
【図面の簡単な説明】
【００３１】
【図１】本考案の熱転写シートの一実施の形態を示した断面図である。
【図２】本考案のアパレル製品の一実施の形態を示した断面図である。
【図３】従来の熱転写シートを示した断面図である。
【符号の説明】
【００３２】
　１、１０　熱転写シート
　２、１２　基材
　４、１４　ホットメルト層
　　　１６　昇華防止層
　８、１８　受理層
　　　２０　アパレル製品
　　　２２　生地
【図１】
0003099593.tif 000003
【図２】
0003099593.tif 000004
【図３】
0003099593.tif 000005